(57)【要約】【課題】認証に関係する情報処理の効率を高め、複数の撮影部で捉えた複数の被写体を並行して認証可能とする。【解決手段】認証装置１は、情報処理資源を配分する情報処理制御部５０と、配分された資源を用いて被写体を撮影する複数の撮影部１０から撮影情報をそれぞれ取得する撮影情報取得部３０と、配分された資源を用いて取得された撮影情報それぞれに対応する被写体を認証する認証部４０と、外部機器と情報の送受信を行う送受信部６０とを備えている。【選択図】図１
2007213369.tif 000002
【特許請求の範囲】
【請求項１】
複数の撮影部を接続可能な生体認証装置であって、
前記複数の撮影部から撮影情報を取得する撮影情報取得部と、
前記撮影情報取得部における前記複数の撮影部からの前記撮影情報の取得それぞれに対して、情報処理資源を配分する資源配分制御部と、
前記撮影情報取得部で取得された前記撮影情報に対応する被写体があらかじめ登録されたものであるか否かを認証する認証部とを備え、
前記資源配分制御部は前記撮影情報取得部で取得された前記撮影情報に応じて前記情報処理資源の配分比を可変することを特徴とする生体認証装置。
【請求項２】
前記資源配分制御部は、さらに、前記撮影情報取得部で取得された前記撮影情報に対応する前記被写体があらかじめ登録されたものであるか否かを認証するのに使用する認証処理資源にも前記情報処理資源を配分することを特徴とする請求項１に記載の生体認証装置。
【請求項３】
前記複数の撮影部それぞれから取得した前記撮影情報に、前記被写体の認証の対象となる被写体画像情報が含まれているか否かを検出する被写体画像情報検出部をさらに備え、
前記資源配分制御部は、前記被写体画像情報検出部の検出結果にもとづいて、前記被写体画像情報を含む前記撮影情報の取得に係る資源の配分を、前記被写体画像情報を含まない前記撮影情報の取得に係る資源の配分より多くすることを特徴とする請求項１または請求項２に記載の生体認証装置。
【請求項４】
前記複数の撮影部それぞれから取得した前記撮影情報に、前記被写体の認証の対象となる被写体画像情報が含まれているか否かを検出する被写体画像情報検出部と、
前記被写体画像情報検出部の検出結果にもとづいて、前記被写体に係る前記撮影情報の取得または認証の、優先度を記録した受付情報を作成する受付情報作成部とをさらに備え、
前記資源配分制御部は、前記受付情報にもとづいて前記情報処理資源を配分することを特徴とする請求項２または請求項３に記載の生体認証装置。
【請求項５】
前記資源配分制御部は、資源配分の基準を記録した配分情報にもとづいて前記情報処理資源を前記配分比で配分することを特徴とする請求項１から請求項４までのいずれか１項に記載の生体認証装置。
【請求項６】
前記資源配分制御部は、前記認証処理資源をさらに第２の配分比で配分可能とし、前記認証部は配分された資源を用いて前記撮影情報取得部で取得された前記撮影情報それぞれに対応する前記被写体を認証することを特徴とする請求項２に記載の生体認証装置。
【請求項７】
前記資源配分制御部は、資源配分の基準を記録した配分情報にもとづいて前記認証処理資源を前記第２の配分比で配分することを特徴とする請求項６に記載の生体認証装置。
【請求項８】
前記資源配分制御部は、初期化されたときに前記複数の撮影部それぞれから前記撮影情報を均等に取得するように前記情報処理資源を配分することを特徴とする請求項１から請求項７に記載の生体認証装置。
【請求項９】
前記生体認証装置は、接続される前記複数の撮影部と有線または無線により情報通信を行うことを特徴とする請求項１から請求項８までのいずれか１項に記載の生体認証装置。
【請求項１０】
前記被写体に対して、前記複数の撮影部のなかから認証にかかわった撮影部を報知する報知部をさらに備えたことを特徴とする請求項１から請求項９までのいずれか１項に記載の生体認証装置。
【請求項１１】
前記複数の撮影部は前記被写体の身長の高さ方向の異なる位置に配置され、前記資源配分制御部は、前記被写体の身長情報にもとづいて前記情報処理資源を配分することを特徴とする請求項１から請求項１０までのいずれか１項に記載の生体認証装置。
【請求項１２】
前記身長情報は、前記被写体の身長情報が記録されている情報記録媒体から取得されることを特徴とする請求項１１に記載の生体認証装置。
【請求項１３】
複数の撮影部を接続可能な生体認証装置を用いた生体認証方法であって、
前記複数の撮影部から撮影情報を取得する撮影情報取得ステップと、
前記撮影情報取得ステップにおける前記複数の撮影部からの前記撮影情報の取得それぞれに対して、情報処理資源を配分する資源配分制御ステップと、
前記撮影情報取得ステップで取得された前記撮影情報に対応する被写体があらかじめ登録されたものであるか否かを認証する認証ステップとを備え、
前記資源配分制御ステップにおいて、前記撮影情報取得ステップで取得された前記撮影情報に応じて前記情報処理資源の配分比を可変することを特徴とする生体認証方法。
【請求項１４】
前記資源配分制御ステップにおいて、さらに、前記撮影情報取得ステップで取得された前記撮影情報に対応する前記被写体があらかじめ登録されたものであるか否かを認証するのに使用する認証処理資源にも前記情報処理資源を配分することを特徴とする請求項１３に記載の生体認証方法。
【発明の詳細な説明】
【技術分野】
【０００１】
本発明は、本人認証を行う生体認証装置および生体認証方法に関し、特に、複数の撮影部を用いて被写体を認証する生体認証装置および生体認証方法に関する。
【背景技術】
【０００２】
近年、社会のグローバル化に伴い、個人情報を始め、営業上の秘密や技術情報などに関し、情報セキュリティの確保を重視した社会環境が求められている。特に、秘密情報が保存された情報装置などを設置した管理エリアの入退室管理が急速に整備・強化されつつあり、ＩＣカードなどによる本人確認に加えて、アクセス時の本人認証の方法として、人体の指紋、虹彩、眼底血管、顔の特徴、腕や手などの血管パターンなど、その被認証者固有のいわゆるバイオメトリクス情報を用いた様々な認証方法が実用化されている。
【０００３】
これらのうち、装置の構成の容易さ、認証時の手軽さなどの扱いやすさから、たとえば顔の特徴を利用して生体認証を行う認証方法（以下、「顔認証」という）が集合住宅などの通用門における入室管理装置などに用いられている。
【０００４】
顔認証とは、被認証者（以下、「被写体」という）の顔を含む領域を撮影して得た顔画像から生成した認証に用いる情報（以下、「認証情報」という）とあらかじめ登録された認証情報（以下、「登録認証情報」という）とを比較照合し、互いに一致すると判定された場合には、被写体があらかじめ登録されたものであると認証する方法である（たとえば、特許文献１を参照）。
【０００５】
入室管理装置は、認証時に被写体の顔を撮影するので、被写体の身体的な差異に対する配慮が必要となる。たとえば、被写体の身長差に対しては、撮影部が１台の場合、撮影部の高さと顔の高さに差異がある被写体は無理な姿勢で撮影部の正面に顔を向ける必要があり、被写体に対して負担をかける原因となっていた。
【０００６】
そのため、従来の生体認証装置は、被写体の身長方向である縦方向に複数台配置した撮影部によって被写体を撮影し、それぞれの撮影部によって撮影して得た複数の被写体画像から、眼が写っている眼画像を１つ選択し、この眼画像を使って個人識別をしていた。また、他の方法として被写体の身長方向である縦方向に移動可能な移動台に撮影部を載せ、移動台を所定の距離間隔で移動・停止を行いながら被写体を撮影部で撮影し、それぞれの停止位置で撮影して得た複数の被写体画像から眼が写っている眼画像を１つ選択し、この眼画像を使って個人識別をしていた（たとえば、特許文献２を参照）。
【特許文献１】特開２０００−３００６６号公報
【特許文献２】特開２００１−１８４４８３号公報
【発明の開示】
【発明が解決しようとする課題】
【０００７】
しかしながら、従来の生体認証装置では、複数の撮影部の出力のうち、いずれか１つの出力を選択していたため、選択されなかった撮影部からの情報を利用することができなかった。これにより、集合住宅などの通用門で１人の被写体だけでなく、親とその子供など複数の被写体を並行して認証する利用形態には使用できなかった。
【０００８】
本発明は、このような課題を解決するものであり、複数の撮影部で捉えた複数の被写体を並行して認証可能とする生体認証装置および生体認証方法を提供することを目的とする。
【課題を解決するための手段】
【０００９】
この目的を達成するために、本発明の生体認証装置は、複数の撮影部を接続可能な生体認証装置であって、複数の撮影部から撮影情報を取得する撮影情報取得部と、撮影情報取得部における複数の撮影部からの撮影情報の取得それぞれに対して、情報処理資源を配分する資源配分制御部と、撮影情報取得部で取得された撮影情報に対応する被写体があらかじめ登録されたものであるか否かを認証する認証部とを備え、資源配分制御部は撮影情報取得部で取得された撮影情報に応じて情報処理資源の配分比を可変することを特徴とする。
【００１０】
この構成によれば、被写体による装置の利用状況に対応して、情報処理資源の配分を可変でき、複数の撮影部それぞれから撮影情報を効率よく取得するための資源を確保することができる。
【００１１】
また、資源配分制御部は、さらに、撮影情報取得部で取得された撮影情報に対応する被写体があらかじめ登録されたものであるか否かを認証するのに使用する認証処理資源にも情報処理資源を配分するようにしてもよい。
【００１２】
この構成によれば、さらに、被写体による装置の利用状況に対応して、情報処理資源を動的に配分でき、複数の撮影部それぞれから撮影情報を効率よく取得するのに加えて、取得した撮影情報それぞれから被写体の認証を効率よく行うための資源を確保することができる。
【００１３】
また、複数の撮影部それぞれから取得した撮影情報に、被写体の認証の対象となる被写体画像情報が含まれているか否かを検出する被写体画像情報検出部をさらに備え、資源配分制御部は、被写体画像情報検出部の検出結果にもとづいて、被写体画像情報を含む撮影情報の取得に係る資源の配分を、被写体画像情報を含まない撮影情報の取得に係る資源の配分より多くするようにしてもよい。
【００１４】
これにより、さらに、被写体画像情報を含む撮影情報の取得に資源を集中させることができる。
【００１５】
また、複数の撮影部それぞれから取得した撮影情報に、被写体の認証の対象となる被写体画像情報が含まれているか否かを検出する被写体画像情報検出部と、被写体画像情報検出部の検出結果にもとづいて、被写体に係る撮影情報の取得または認証の、優先度を記録した受付情報を作成する受付情報作成部とをさらに備え、資源配分制御部は、受付情報にもとづいて情報処理資源を配分するようにしてもよい。
【００１６】
これによれば、さらに、優先度の高い処理から情報処理資源を優先的に配分することが可能となる。これにより、より優先度の高い撮影情報の取得または認証に資源を集中でき、認証作業での待ち時間を抑えることができる。
【００１７】
また、資源配分制御部は、資源配分の基準を記録した配分情報にもとづいて情報処理資源を配分比で配分するようにしてもよい。
【００１８】
これによれば、さらに、配分情報により配分でき、情報処理資源を有効に活用できる。また、配分情報の変更により容易に情報処理資源の配分を変更でき、システムの自由度を高めることができる。
【００１９】
また、資源配分制御部は、認証処理資源をさらに第２の配分比で配分可能とし、認証部は配分された資源を用いて撮影情報取得部で取得された撮影情報それぞれに対応する被写体を認証するようにしてもよい。
【００２０】
これによれば、さらに、第２の配分比で配分された資源を用いて撮影情報取得部で取得された撮影情報をそれぞれ認証するための資源を確保することができる。
【００２１】
また、資源配分制御部は、資源配分の基準を記録した配分情報にもとづいて認証処理資源を第２の配分比で配分するようにしてもよい。
【００２２】
これによれば、さらに、配分情報により認証処理資源を配分できるので、認証処理資源を有効に活用できる。
【００２３】
また、資源配分制御部は、初期化されたときに複数の撮影部それぞれから撮影情報を均等に取得するように情報処理資源を配分するようにしてもよい。
【００２４】
これによれば、さらに、初期化されたときに複数の撮影部それぞれから撮影情報を取得するための資源の配分に偏りがないようにでき、満遍なく撮影情報を取得できる。
【００２５】
また、生体認証装置は、接続される複数の撮影部と有線または無線により情報通信を行ってもよい。
【００２６】
これによれば、さらに、複数の撮影部を同じ場所にも、異なる場所にも設置可能となる。また、複数の撮影部をそれぞれ離れた場所に設置することができる。
【００２７】
また、被写体に対して、複数の撮影部のなかから認証にかかわった撮影部を報知する報知部をさらに備えてもよい。
【００２８】
この構成によれば、さらに、被写体に対して認証作業に使用する撮影部を認知させることが可能となり、円滑に認証作業を行うことができる。
【００２９】
また、複数の撮影部は被写体の身長の高さ方向の異なる位置に配置され、資源配分制御部は、被写体の身長情報にもとづいて情報処理資源を配分するようにしてもよい。
【００３０】
これによれば、さらに、被写体の身長に対応して撮影に適した撮影部からの撮影情報の取得に即座に情報処理資源を集中させることができる。
【００３１】
また、身長情報は、被写体の身長情報が記録されている情報記録媒体から取得されるようにしてもよい。
【００３２】
これにより、さらに、情報記録媒体から被写体の身長情報を入手でき、被写体の身長に対応して撮影に適した撮影部からの撮影情報の取得に即座に情報処理資源を集中させることができる。
【００３３】
また、本発明の生体認証方法は、複数の撮影部を接続可能な生体認証装置を用いた生体認証方法であって、複数の撮影部から撮影情報を取得する撮影情報取得ステップと、撮影情報取得ステップにおける複数の撮影部からの撮影情報の取得それぞれに対して、情報処理資源を配分する資源配分制御ステップと、撮影情報取得ステップで取得された撮影情報に対応する被写体があらかじめ登録されたものであるか否かを認証する認証ステップとを備え、資源配分制御ステップにおいて、撮影情報取得ステップで取得された撮影情報に応じて情報処理資源の配分比を可変することを特徴とする。
【００３４】
この方法によれば、被写体による装置の利用状況に対応して、情報処理資源の配分を可変でき、複数の撮影部それぞれから撮影情報を効率よく取得するための資源を確保することができる。
【００３５】
また、資源配分制御ステップにおいて、さらに、撮影情報取得ステップで取得された撮影情報に対応する被写体があらかじめ登録されたものであるか否かを認証するのに使用する認証処理資源にも情報処理資源を配分するようにしてもよい。
【００３６】
この方法によれば、さらに、被写体による装置の利用状況に対応して、情報処理資源を動的に配分でき、複数の撮影部それぞれから撮影情報を効率よく取得するのに加えて、取得した撮影情報それぞれから被写体の認証を効率よく行うための資源を確保することができる。
【発明の効果】
【００３７】
本発明によれば、複数の撮影部で捉えた複数の被写体を並行して認証可能とする生体認証装置および生体認証方法を提供することができる。
【発明を実施するための最良の形態】
【００３８】
以下、本発明の実施の形態について、図面を用いて詳細に説明する。
【００３９】
（実施の形態１）
本発明の実施の形態である生体認証システム（以下、「認証システム」という）は、複数の撮影部から撮影情報をそれぞれ取得し、取得した撮影情報のそれぞれから認証対象となる被写体の有無を検出し、利用状況（たとえば、検出された被写体の人数、検出された被写体の受け付け順位など）に応じて情報処理資源の配分を制御し、被写体のそれぞれがあらかじめ登録されている本人であるか否かの認証を行うものである。
【００４０】
これにより、刻々と変化するシステムの利用状況に応じて認証システムが保有する情報処理資源を有効に活用し、複数の被写体の認証作業を効率よく並行して行うことができる認証システムを安価に構築可能とするものである。
【００４１】
ここで、情報処理資源は、情報取得処理資源と認証処理資源からなる。この情報取得処理資源を用いるそれぞれの処理に対しては第１の配分比で資源を配分し、認証処理資源を用いるそれぞれの処理に対しては第２の配分比で資源を配分する。なお、認証処理が行われていない場合は、資源のすべてを情報取得に投入でき、情報処理資源のすべてが情報取得に関係する処理として利用される。
【００４２】
情報取得処理資源は、撮影部から撮影情報の取得、撮影部から取得された撮影情報から認証対象となる被写体の被写体画像情報の検出などの被写体情報取得に関係する処理をするための資源である。また、認証処理資源は、検出された被写体画像情報から被写体が登録されている本人か否かを認証するための認証処理に関係する処理をするための資源である。
【００４３】
ここで、資源とは、たとえば処理能力、処理時間、機能を実現するためのハードウェア、ソフトウェアでの処理ステップ数などである。また、資源の配分とは、たとえば単位時間あたりの処理能力の配分、単位時間あたりの処理時間の割り振りである。本発明の実施の形態では、資源を処理時間とし、資源の配分を単位時間あたりの処理時間の割り振りとして説明する。
【００４４】
また、認証システムは、認証結果に対応して被写体に認証結果を報知、または扉の開閉など接続される機器への動作指示を行うものである。
【００４５】
なお、本人認証に用いる認証情報は被写体に固有な生体情報であり、たとえば、人体の指紋、眼の虹彩、顔の特徴、眼や腕や手などの血管パターンなどである。以下、本発明の実施の形態では、被写体の顔を実施例として説明する。
【００４６】
本発明の実施の形態１である認証システムについて説明する。
【００４７】
まず、認証システムの概要について説明する。図１は、本発明の実施の形態１における認証システムの概要を示す構成図である。
【００４８】
図１に示すように、本発明の認証システム２は、被写体を撮影する複数の撮影部１０と、複数の撮影部を接続可能とし、取得した被写体の撮影情報それぞれを使って被写体それぞれ認証する認証装置１とを備えている。
【００４９】
撮影部１０は、被写体を撮影し、撮影して得た撮影情報を認証装置１に送信する。ここで、撮影情報は、複数の撮影部それぞれに付与された固有な識別情報とその識別情報をもつ撮影部で被写体を撮影して得た被写体画像情報とを有する。この固有な識別情報は、接続される複数の撮影部のなかから、撮影情報を出力した撮影部を識別できる識別情報であればよく、たとえば送信元アドレス情報、製造番号、管理番号などである。また、撮影部を接続したときに装置側で割り振られたアドレス情報でもよい。以下、本発明の実施の形態１では固有な識別情報を送信元アドレス情報として説明する。
【００５０】
認証装置１は、撮影情報から送信元アドレス情報を検出することで、どの撮影部１０からの撮影情報かを知ることができる。さらに、送信元アドレス情報で撮影情報を管理すれば、同じ撮影部の撮影情報か、他の撮影部の撮影情報かを判断でき、撮影情報の受け付け順位の管理が可能となる。また、認証装置１に撮影部１０を新たに増設して接続するときに、接続された撮影部１０のアドレス情報を認証装置１に都度、登録するようにしてもよい。
【００５１】
認証装置１は、接続された撮影部１０からの撮影情報を検出し、被写体画像情報を含む撮影情報を取得する撮影情報取得部３０と、取得された撮影情報の受け付け順位にもとづいて被写体それぞれを認証する認証部４０と、撮影情報取得部３０と認証部４０とに係る情報処理資源の使用に対する配分を指示する情報処理制御部５０と、外部に接続される機器との情報の送受信を行う送受信部６０とを備えている。
【００５２】
この構成により、認証装置１は接続された複数の撮影部から取得した撮影情報のそれぞれから被写体画像情報を常に検出可能とする資源の配分が行われる。これにより、被写体の有無、被写体の人数を検出し、その利用状況に応じて情報処理資源を有効に活用することができる。さらに、被写体は１人でも、複数の人でもよく、認証作業を並行して効率よく行うことが可能となる。認証装置１の情報処理資源の配分の指示についての詳細は後述する。
【００５３】
さらに、認証システム２は、認証装置１に接続される機器に動作指示を出力する動作部７０と、認証装置１を補助する機能を有する端末部８０と、画像取り込みに最適な撮影部１０を被写体に知らせる報知部２０とを備えている。
【００５４】
これにより、認証装置１は、認証結果が登録者と「一致」した場合、動作部７０に指示して入り口のなどの扉の施錠を「開」に解除させる。また、認証装置１は、認証結果が登録者と「不一致」の場合、端末部８０に指示して「登録されていませんので、入室できません。」などのメッセージを被写体に音声で報知させ、さらに、動作部７０に指示して入り口のなどの扉の施錠を「閉」に維持させる。
【００５５】
以下、認証システム２の利用形態として複数の撮影部が同じ場所に設置される場合について説明する。
【００５６】
ここでは、図２を用いて、マンションなどの集合住宅の入室管理を行う集合住宅用入室管理システムを一例に説明する。図２は、認証用パネルの構成を示す構成図である。
【００５７】
図２に示すように、集合住宅用入室管理システムは、被写体を撮影する複数の撮影部１０を有している認証用パネル１００と、接続された複数の撮影部１０からの撮影情報をそれぞれ取得し、取得された撮影情報のそれぞれから入室しようとする被写体の被写体画像情報を検出し、検出された被写体画像情報にもとづいてあらかじめ登録されている本人か否かをそれぞれ認証する認証装置１（図示せず）とを備えている。
【００５８】
認証用パネル１００と認証装置１は、建物の通用門の入り口の近くに設置されている。認証装置１は、認証結果に応じて動作部７０に指示し、通用門の入り口の扉の施錠を開閉する。これにより、外部からの不審者の侵入を防止するものである。認証装置１の詳細の構成、動作は後述する。
【００５９】
認証用パネル１００は、被写体の身長の高さ方向に複数台の撮影部１０を配置している。これにより、被写体の身長が異なっていても容易に顔を撮影することができる。たとえば、被写体２００（たとえば大人）と被写体２０１（たとえば子供）は、腰をかがめたり（たとえば被写体２００）、背伸びをしたり（たとえば被写体２０１）しなくても認証作業を行うことができる。
【００６０】
さらに、認証用パネル１００は、認証に使用するための撮影情報の取得に最適な撮影部１０を被写体に知らせるため、撮影部１０のそれぞれの横に報知部２０を備えている。
【００６１】
報知部２０は、認証装置１からの指示にしたがって撮影部１０の横に配置されたＬＥＤを点滅させ、認証に使用される撮影情報の取得に最適な撮影部１０の位置を被写体に知らせる。
【００６２】
被写体は、報知部２０のＬＥＤの点滅により、撮影に使用される撮影部１０を特定し、認証作業を行うことができる。たとえば、被写体２００は、ＬＥＤ２０ａの点滅により、撮影部１０ａが使用されることを知る。同様に、被写体２０１は、ＬＥＤ２０ｂの点滅により、撮影部１０ｂが使用されることを知る。これにより、被写体２００は撮影部１０ａを使って認証作業が行われることを知り、被写体２０１は撮影部１０ｂを使って認証作業が行われることを知ることができる。
【００６３】
また、認証用パネル１００はスピーカを有する端末部８０を備える。端末部８０は、認証装置１から取得した認証結果が登録者と「不一致」の場合に、「登録されていませんので、入室できません。」などのメッセージを被写体に対して音声で知らせる。また、端末部８０は、認証装置１から取得した認証結果が登録者と「一致」した場合に、「入室できます。」などのメッセージを被写体に対して音声で知らせる。なお、音声でなく、たとえば液晶表示装置などの表示により認証結果を被写体に知らせるようにしてもよい。
【００６４】
つぎに、図３を用いて、認証装置１について詳細に説明する。図３は認証装置１の構成を示すブロック図である。
【００６５】
図３において、認証装置１は、接続された複数の撮影部１０から複数の被写体の撮影情報をそれぞれ取得する撮影情報取得部３０と、取得した撮影情報にもとづいて被写体が登録されている本人か否かをそれぞれ認証する認証部４０と、撮影情報取得部３０と認証部４０に対して情報処理資源の配分を指示する情報処理制御部５０と、外部機器に認証結果または認証情報を送受信する送受信部６０とを備えている。
【００６６】
撮影情報取得部３０は、前処理部３１と、被写体画像検出部３２と、画質判断部３３と、画像情報取得部３４とを備えている。
【００６７】
撮影情報取得部３０は、接続された複数の撮影部１０から撮影情報をそれぞれ取得し、取得した撮影情報に被写体画像情報（ここでは顔画像）が含まれているか否かを常に検出する。
【００６８】
前処理部３１は、取得した撮影情報のコントラスト調整、ノイズ除去などの画質改善を行う。
【００６９】
被写体画像検出部３２は、前処理された撮影情報のなかに被写体画像情報が含まれている場合を「被写体あり」、撮影情報のなかに被写体画像情報を含んでいない場合を「被写体なし」として被写体の有無の情報を画像情報取得部３４に出力する。
【００７０】
画質判断部３３は、画像情報取得部３４によって取得され、保存している撮影情報が認証に適切な画像か否かを判断し、判断結果を画像情報取得部３４に出力する。
【００７１】
画像情報取得部３４は、被写体画像検出部３２から「被写体あり」を入力すると、撮影情報を取り込み、撮影情報のうち被写体画像情報を認証部４０に、被写体画像情報にさらに付与されていた送信元アドレス情報を情報処理制御部５０に出力する。
【００７２】
また、認証作業が開始されると、撮影情報取得部３０は、情報処理制御部５０からの資源の配分指示にしたがって、対応する撮影部１０に対して重み付けした時間割合で撮影情報の取得、画質判断などの処理を行う。さらに、撮影情報取得部３０は、撮影情報の保存が完了すると、認証部４０と受付情報作成部５１とに完了の通知を行う。
【００７３】
情報処理制御部５０は、撮影情報取得部３０から送信元アドレス情報（撮影部１０それぞれから取得した撮影情報を識別するための識別情報）を受け付けると、受け付けしたアドレス情報がすでに記録済みか否かを判断する。これにより、記憶している取得済みのアドレス情報との重複を防止する。新規なアドレス情報の受け付け、すなわち新規な被写体の撮影情報（被写体画像情報）を受け付けると認証作業の準備を行う。また、検出された被写体の受け付け順位が早いほど、その被写体に対応する撮影情報の処理に優先的により多くの資源を配分する。
【００７４】
情報処理制御部５０は、送信元アドレス情報の受け付け順位に応じて受付情報５３を作成する受付情報作成部５１と、受付情報５３を記憶する受付情報記憶部５２と、情報処理資源の配分基準を記録した配分情報５５を記憶する配分情報記憶部５４と、配分情報５５にもとづいて撮影情報取得部３０と認証部４０とに資源の配分を指示する資源配分制御部５６と、配分情報５５を更新する配分情報更新部５７とを備えている。
【００７５】
受付情報５３は、撮影情報の受け付け順位、撮影情報に対応する識別情報と、撮影情報に対応する認証処理の完了情報と、撮影情報に対応する資源配分の優先度情報とを有する。これにより、識別情報の数から完了情報の数を減算したものが認証対象とする被写体の数になる。
【００７６】
受付情報作成部５１は、新規な被写体の撮影情報（被写体画像情報）を受け付けるごとに、受付情報５３を更新する。この更新により、受付情報作成部５１は、受け付け順位、撮影情報に対応する識別情報（新規な送信元アドレス情報）を記録に追加し、作成した受付情報５３を受付情報記憶部５２に記憶する。さらに、受付情報作成部５１は、撮影情報の認証処理が完了したときは対応する撮影情報の記録に完了情報をさらに付加し、情報を更新する。さらに、受付情報作成部５１は、更新時に優先度情報を見直し、受け付けした順位が早く、かつ、完了情報が付加されていないものから順に優先度が高くなるように優先度情報を更新する。また、受付情報作成部５１は、受付情報５３を更新するごとに資源配分制御部５６に更新したことを通知する。
【００７７】
資源配分制御部５６は、受付情報作成部５１から通知があると、受付情報記憶部５２から受付情報５３を取得する。資源配分制御部５６は、この受付情報５３から、撮影情報を識別する識別情報（送信元アドレス情報）、その撮影情報に対する資源配分の優先度、撮影情報に対する認証処理の完了情報、対象となる被写体の人数などの情報を検出できる。資源配分制御部５６は、受付情報５３にもとづいて情報処理資源の配分比を決定し、関係する各処理部に配分を指示する。
【００７８】
資源配分制御部５６は、情報処理資源の配分を決定するために、配分情報記憶部５４から資源の配分基準を記録した配分情報５５を入手し、この配分基準にもとづいて配分の指示を撮影情報取得部３０と認証部４０に対して行う。資源配分制御部５６は、さらに、配分情報５５に記録されている配分基準にもとづいて、撮影情報取得部３０に関係する情報取得処理資源の使用および認証部４０に関係する認証処理資源の使用に対して資源の配分を指示する。配分情報５５の詳細については後述する。
【００７９】
さらに、資源配分制御部５６は、認証部４０から特定の被写体画像情報の認証完了を受け付けると、受付情報５３に完了情報をさらに付加し（図示せず）、記録を更新する。
【００８０】
また、資源配分制御部５６は、受付情報５３に記録されている送信元アドレス情報から対応するＬＥＤを点滅するように報知部２０に送受信部６０を経由して指示する。被写体は、このＬＥＤの点滅により認証に使用される撮影部１０の位置を認識し、点滅しているＬＥＤの横にある撮影部１０で認証作業が行われることを知ることができる。
【００８１】
認証部４０は、取得した被写体画像情報から認証情報を作成する撮影画像処理部４１と、登録用の登録認証情報４４を記憶する認証情報記憶部４３と、撮影画像処理部４１から出力される認証情報と登録認証情報４４とを比較照合し、被写体が登録してある本人か否かを判断する照合部４２と、登録認証情報４４を更新する認証情報更新部４５とを備えている。
【００８２】
認証部４０は、撮影情報取得部３０から撮影情報を受信すると、情報処理制御部５０から指示された配分にしたがって認証処理資源を使用し、被写体画像情報の認証作業を開始する。また、認証部４０は、認証作業の完了時に撮影情報から被写体画像情報に対応する送信元アドレス情報を抽出し、資源配分制御部５６に撮影情報に対応する送信元アドレスの情報を知らせる。
【００８３】
撮影画像処理部４１は、取得した被写体画像情報から被写体の顔の特徴量、たとえば、画像の濃淡情報、画像の周波数情報などを抽出し、照合するための認証情報を作成する。
【００８４】
照合部４２は、撮影画像処理部４１から出力される認証情報と登録認証情報４４とを比較照合し、被写体が登録してある本人か否かを認証する。また、照合部４２は、認証結果を送受信部６０に送る。
【００８５】
認証情報記憶部４３は、磁気的または光学的に電子データを記録することが可能なハードディスクや光ディスク、または半導体メモリーなどの一般に知られた記憶装置からなり、登録する登録認証情報４４を記憶する。
【００８６】
認証情報更新部４５は、認証装置１の外部で作成された登録認証情報が管理サーバ９０などから送信されてきたときに、登録認証情報４４を更新する。
【００８７】
なお、登録認証情報４４は、少なくとも１人の被写体の認証情報が含まれるデータベース（以下、「ＤＢ」という）である。
【００８８】
送受信部６０は、所定のネットワークプロトコル（ネットワークを介して通信される電子データを送信するときの手順を定めたもの）でデータの送受信を行うための機能を有している。ネットワークプロトコルとしては、ＴＣＰ／ＩＰなどの一般に知られたプロトコルや独自に定めたプロトコルなどを使用することができる。この送受信部６０を使って、認証システム２は接続された端末部８０、動作部７０に認証結果を送信する。なお、送受信部６０は、管理サーバ９０に認証結果を送信してもよい。
【００８９】
つぎに、図４、図５を用いて、認証システム２の認証処理について説明する。ここでは、集合住宅用入室管理システム（図２）を一例に、その認証処理について説明する。図４は認証処理の流れを示すフローチャート、図５は配分の基準となる配分情報を説明する説明図である。
【００９０】
被認証者である被写体２００と被写体２０１が認証用パネル１００で認証作業を行う場合、先に被写体２００が認証用パネル１００で作業を開始し、つぎに、被写体２０１が認証作業を始めたものとする。
【００９１】
認証システム２は、電源投入などシステムの立ち上げ時に、配分情報５５を参照して配分の初期値を指示する。システムの立ち上げ時は、まだ被写体はいないため認証作業は発生しない。そのため、資源配分制御部５６は、認証システム２の電源を立ち上げたときには被写体は０人とし、情報処理資源のうち情報取得処理資源に１００％、認証処理資源に０％を配分するように指示する。さらに、資源配分制御部５６は、情報取得処理資源の１００％に対して、さらに、撮影部１０からの撮影情報取得処理に対して配分が均等になるように、それぞれ２５％ずつに指示する。このように、初期化した直後は資源を情報取得処理資源に集中させ、さらに、すべての撮影部より被写体画像情報を取得、検出するために情報取得処理資源を均等に配分する。これにより、情報処理資源を効率よく活用できる。この情報取得処理資源に関係する資源配分の指示の詳細は後述する。
【００９２】
システムの初期化が行われた後、撮影情報取得部３０は、複数の撮影部１０から撮影情報をそれぞれ取得し（Ｓ１０１）、撮影情報に顔画像が含まれているか否かを判断し、被写体の有無を検出する。もし、取得した撮影情報それぞれのなかに、少なくとも１つの顔画像が含まれていた場合、認証装置１は、「被写体検出あり」として認証作業を開始する（Ｓ１０２）。
【００９３】
ここで、複数の撮影部１０から取得した撮影情報のそれぞれのなかには必ずしも顔画像が含まれているとは限らない。たとえば、１人の被写体が撮影部１０の前に立った場合、複数の撮影部１０から取得した撮影情報のそれぞれには手、胴、胸、肩、など認証の対象外のものと、顔など対象内のものとが写っている可能性がる。そこで、撮影情報取得部３０は、認証の対象となる顔画像が撮影情報に含まれているか否かを判断し、撮影情報に顔画像が含まれている場合を「被写体検出あり」として検出する。さらに、顔画像を含む撮影情報の取得に関係する処理時間の配分比率を高め、顔画像を含まない撮影情報の取得に関係する処理時間の配分比率を下げる。これにより、情報の漏れを防止しながら、不要な処理に情報処理資源が消費されるのを抑えている。
【００９４】
撮影情報取得部３０は、「被写体検出あり」と検出したとき、取得した撮影情報を受付情報作成部５１と認証部４０に出力する。
【００９５】
つぎに、受付情報作成部５１は、撮影情報取得部３０から撮影情報（ここでは、送信元アドレス情報）を取得し（Ｓ１０３）、すでに受付情報５３に記録している送信元アドレス情報と新たに取得した送信元アドレス情報とを比較して、新規なアドレス情報か否かを判断する。
【００９６】
受付情報作成部５１は、新規な送信元アドレス情報を取得した場合は、送信元アドレス情報を受け付けした順番に配列し、さらに優先度を付加した受付情報５３を作成する。また、受付情報作成部５１は、取得した送信元アドレス情報が新規な送信元アドレス情報でない場合は、受付情報５３を更新しない。
【００９７】
このように、受付情報作成部５１は、認証の対象となる顔画像が含まれる撮影情報を出力する撮影部１０が新たに発生するごとに、受付情報５３を作成する。この受付情報５３にもとづいて、認証作業が行われることで不要な情報処理を防止し、情報処理資源を有効に活用できる。
【００９８】
具体的には、撮影情報取得部３０は、取得した撮影情報のなかから、まず、被写体２００の顔画像を検出する。さらに、撮影情報取得部３０は、顔画像が検出されると受付情報作成部５１に送信元アドレス情報を通知する。
【００９９】
受付情報作成部５１は、被写体２００の撮影情報に対応する送信元アドレス情報が新規なアドレス情報であることを知り、受け付けを１番として、優先度を付加した受付情報５３を作成する（Ｓ１０４）。さらに、受付情報作成部５１は、作成した被写体２００に対応する受付情報５３を受付情報記憶部５２に格納し、資源配分制御部５６に受け付けがあったことを通知する。
【０１００】
つぎに、資源配分制御部５６は、受付情報作成部５１からの通知により被写体が検出されたことを知り、配分情報記憶部５４より配分情報５５を入手する。受付情報５３から検出した被写体の数と被写体ごとの優先度にもとづいて配分情報５５を参照し、情報処理資源の使用に係る配分を決定する（Ｓ１０５）。この配分情報５５についての詳細は後述する。
【０１０１】
つぎに、資源配分制御部５６は、受付情報作成部５１から通知を受けると、受付情報５３を検出し、受付情報５３から被写体人数（ここでは１人である）を検出する。そして、資源配分制御部５６は、配分情報５５に記録された配分基準にしたがって情報処理資源の配分を指示する（Ｓ１０６）。たとえば、資源配分制御部５６は、検出された被写体が１人なので、情報処理資源を情報取得処理資源に３０％、認証処理資源に７０％を配分するように指示する。さらに、資源配分制御部５６は、情報取得処理資源の３０％に対して、さらに、被写体２００を検出した撮影部１０ａからの撮影情報の取得に関係する資源の配分を１６．５％、その他の撮影部の撮影情報の取得に関係する資源の配分をそれぞれ４．５％ずつに指示する。この情報取得処理資源に関係する配分の指示の詳細は後述する。
【０１０２】
このように、顔画像（ここでは被写体２００を撮影して得られる顔画像）を含む撮影情報の取得に関係する処理時間の配分を１６．５％に高め、顔画像を含まない撮影情報の取得に関係する処理時間の配分をそれぞれ４．５％ずつに下げている。これにより、不要な処理を抑えながらも、顔画像を含まない撮影情報の取得にも資源を割り振ることで、被写体の顔画像の検出を可能にしている。また、認証処理資源に配分された７０％は、認証部４０で使用される。資源配分制御部５６は、資源配分の指示によって被写体に対する認証作業の準備を完了する。
【０１０３】
つぎに、資源配分制御部５６は、報知部２０に対して、撮影部１０ａの横に配置されたＬＥＤ２０ａを点滅させ、被写体に対して使用する撮影部１０ａの位置を知らせる（Ｓ１０７）。
【０１０４】
つぎに、Ｓ１０８からＳ１１０のステップにより、撮影部１０ａから認証に用いる撮影情報を取得する。
【０１０５】
まず、撮影情報取得部３０は、Ｓ１０１で撮影部１０ａから取得した撮影情報の画質を画質判断部３３で判断し（Ｓ１０８）、取得した撮影情報の画質が「適切」ならば、撮影情報を保存し、Ｓ１１０に進む。
【０１０６】
一方、撮影情報取得部３０は、Ｓ１０１で撮影部１０ａから取得した撮影情報の画質が「不適切」ならば、画質判断部３３で画質が「適切」と判断されるまで、撮影部より撮影情報を取得する（Ｓ１０９）。なお、端末部８０より被写体に音声などで誘導し、再度、撮影情報を取得してもよい。
【０１０７】
つぎに、撮影情報取得部３０は、「適切」な撮影情報を取得すると、撮影情報を保存し、保存完了を認証部４０、情報処理制御部５０に通知し、保存してある撮影情報を出力する（Ｓ１１０）。ここでは、撮影情報取得部３０は、認証部４０に被写体画像情報を出力し、情報処理制御部５０に被写体画像情報に付与されている送信元アドレス情報を出力する。
【０１０８】
つぎに、認証部４０は、資源配分制御部５６からの資源配分の指示にしたがって情報処理資源の７０％を使ってＳ１１１からＳ１２０までの処理を行う。
【０１０９】
認証部４０は、取得した撮影情報から被写体の被写体顔画像の特徴量の抽出し、登録された登録認証情報４４と照合するための認証情報を作成する（Ｓ１１１）。さらに、認証部４０は、作成された認証情報と登録認証情報４４とを使って、被写体２００の認証を行う（Ｓ１１２）。
【０１１０】
情報処理制御部５０は、受付情報５３を参照し、認証部４０で行っている認証処理の途中で割り込みを入れ、撮影情報取得部３０に対して、まだ顔画像が検出されていない撮影部から撮影情報を取得し、新たな顔画像があるか否かの検出を行うように指示する。撮影情報取得部３０は、指示にしたがって撮影部から撮影情報を取得し（Ｓ１１３）、撮影情報に顔画像が含まれているか否かを判断する（Ｓ１１４）。
【０１１１】
つぎに、撮影情報から新たな被写体２０１の顔画像が検出された場合は、Ｓ１０３にもどり、送信元アドレス情報の検出する（Ｓ１０３）。つぎに、受付情報作成部５１は、被写体２０１の送信元アドレス情報を受け付け、新規なアドレス情報であることを確認し、さらに、優先度を２番目として受付情報５３に追加する。これにより、被写体２００と被写体２０１を含む情報に受付情報５３は更新される（Ｓ１０４）。
【０１１２】
さらに、資源配分制御部５６は、更新された受付情報５３にもとづいて、被写体人数が２人であることを検出し、配分情報５５の配分基準にしたがって情報処理資源の再配分を行う（Ｓ１０５）。さらに、資源配分の再指示（Ｓ１０６）、報知部２０へのＬＥＤ２０ｂの点滅の指示（Ｓ１０７）の追加を行う。さらに、Ｓ１０８かＳ１１１までを実施し、取得した撮影情報にもとづき、新たな被写体２０１の認証情報を作成する。
【０１１３】
ここで、被写体が２人の場合の配分は、たとえば、情報取得処理資源に３０％、認証処理資源に７０％を配分する。さらに、被写体２００（優先度１番）に対する認証部４０の資源の配分を４０％、被写体２０１（優先度２番）の配分を３０％とする。また、被写体２００と被写体２０１とに関係する情報取得処理資源の配分としてそれぞれ１０．５％ずつを配分し、その他の撮影情報の取得に関係する資源の配分としてそれぞれ４．５％ずつを配分する。
【０１１４】
このように、受付情報５３には、受け付けした送信元アドレス情報とその優先度が記録されている。資源配分制御部５６は、受付情報５３から、受け付けした被写体の人数と被写体ごとの優先度、対応する撮影部のアドレス情報を検出する。これにより、資源配分制御部５６は、被写体ごとに優先度をもたせながら認証作業、資源配分の調整、指示を制御することが可能となる。
【０１１５】
認証部４０は、Ｓ１１４で新たな被写体が検出されなかった場合、被写体２００の認証処理が残っていればＳ１１２にもどり（Ｓ１１５）、引き続き認証作業を継続する。
【０１１６】
認証部４０は、被写体２００の認証処理が完了している場合、撮影情報から生成した認証情報と登録してある登録認証情報４４とが一致するか否かを判断する（Ｓ１１６）。
【０１１７】
つぎに、認証システム２は、認証結果が登録者と「一致」した場合、動作部７０に指示して入り口のなどの扉の施錠を「開」に解除させる（Ｓ１１７）。また、認証システム２は、認証結果が登録者と「不一致」の場合、端末部８０に指示して「登録されていませんので、入室できません。」などのメッセージを被写体に音声で報知させ（Ｓ１１８）、さらに、動作部７０に指示して入り口のなどの扉の施錠を「閉」に維持させる。
【０１１８】
つぎに、認証システム２は、認証結果を管理サーバ９０などに送信する（Ｓ１１９）。この段階で１人目（ここでは被写体２００）の認証作業が終了する。
【０１１９】
つぎに、認証システム２は、他の被写体の認証作業が残っている場合、配分の指示を更新する必要があるためにＳ１０４にもどる。一方、認証システム２は、すべての認証作業が完了している場合は、Ｓ１０１にもどり、取得した撮影情報から新たな被写体の顔画像を検出する（Ｓ１２０）。
【０１２０】
つぎに、図５を用いて、配分情報５５について詳細に説明する。図５は、配分の基準となる配分情報を説明する説明図である。
【０１２１】
配分情報５５は、認証装置１に接続される撮影部１０の台数の最大値に応じてあらかじめ設定される情報である。ここでは、撮影部が４台まで接続されるものとして説明する。なお、認証システム２の外部より配分情報５５が参照可能な場合は、この参照可能な情報を使用することによって配分情報記憶部５４を不要とすることができる。
【０１２２】
配分情報５５には、検出された被写体人数に応じて情報処理資源の配分基準が記録されている。ここで、１台の撮影部は１人の被写体を検出可能とした場合、記録されている被写体人数の最大値が、接続可能な撮影部の台数と一致する。
【０１２３】
情報処理資源は、情報取得処理資源と認証処理資源とがあるため、配分情報５５は、情報処理資源を情報取得処理資源と認証処理資源とに配分する配分基準と、情報取得処理資源をさらに配分するための配分基準とが記録されている。また、情報処理資源の配分基準では、さらに優先度に応じて認証処理資源を配分するための配分基準が記録されている。
【０１２４】
資源配分制御部５６は、受付情報５３から被写体人数を検出し、配分情報５５に記録された配分基準にしたがって情報処理資源の配分を指示する。
【０１２５】
図５に示すように、検出された被写体が０人の場合、情報取得処理資源に１００％、認証処理資源として０％を配分する。さらに、情報取得処理資源の１００％は、４台の撮影部に対してそれぞれ均等に２５％ずつ配分される。
【０１２６】
検出された被写体が１人の場合、情報取得処理資源に３０％、認証処理資源に７０％を配分する。さらに、情報取得処理資源の３０％は、さらに、優先度１番の撮影情報の取得に１６．５％、その他の撮影情報の取得にそれぞれ４．５％ずつを配分する。
【０１２７】
検出された被写体が２人の場合、情報取得処理資源に３０％、認証処理資源に７０％を配分する。さらに、情報取得処理資源の３０％は、優先度１番、優先度２番の撮影情報の取得にそれぞれ１０．５％ずつ、その他の撮影情報の取得にそれぞれ４．５％ずつを配分する。また、認証処理資源の７０％は、さらに、優先度１番の処理に４０％、優先度２番の処理に３０％を配分する。
【０１２８】
同様に、検出された被写体が３人の場合、情報取得処理資源に４０％、認証処理資源に６０％を配分する。さらに、情報取得処理資源の４０％は、さらに、優先度１番から優先度３番の撮影情報の取得にそれぞれ１２％、その他の撮影情報の取得に４％が配分される。また、認証処理資源の６０％は、優先度１番の処理に３０％、優先度２番の処理に２０％、優先度３番の処理に１０％が配分される。
【０１２９】
さらに、検出された被写体が４人の場合、情報取得処理資源に４０％、認証処理資源に６０％を配分する。さらに、情報取得処理資源の４０％は、優先度１番から優先度４番の撮影情報の取得にそれぞれ１０％ずつ配分される。また、認証処理資源の６０％は、優先度１番の処理に２０％、優先度２番に２０％、優先度３番に１０％、優先度４番に１０％が配分される。
【０１３０】
このように、対象となる被写体人数に応じて、資源の配分基準を情報取得処理資源と認証処理資源とに分け、さらに各資源は優先度に応じて配分される。被写体が撮影されていない撮影部からの撮影情報の取得に関係する処理の資源配分を０％としないことで、撮影情報から被写体画像情報の検出を常に可能とする。特に、認証装置１は、認証する対象をあらかじめ設定しているため、単に、被写体の有無だけでは認証できない。よって、顔画像など認証できるものを撮影情報として取得する必要があり、単に被写体の有無のみを検出可能なセンサを用いることはできない。
【０１３１】
つぎに、図６を用いて、配分情報を用いた情報取得処理資源に関係する配分の指示の詳細について説明する。図６（ａ）は被写体の人数が０人のときの配分の指示を説明する説明図、図６（ｂ）は被写体の人数が１人のときの配分の指示を説明する説明図、図６（ｃ）は被写体の人数が２人のときの配分の指示を説明する説明図である。
【０１３２】
ここで、認証装置１には、４台の撮影部が接続されたときの一例を説明する。配分は、たとえば単位時間あたりに割り振られた時間割合である。
【０１３３】
取得された撮影情報それぞれから検出された被写体の人数が０人の場合について説明する。図６（ａ）において、どの撮影部の前にも被写体はいないので（待機状態）、撮影情報取得部３０は、各撮影部からの撮影情報の取得に均等な配分を行う。ここでは、それぞれ２５％ずつ配分する。
【０１３４】
つぎに、取得された撮影情報それぞれから検出された被写体が１人の場合について説明する。図６（ｂ）において、被写体２００（優先度１番）が１人検出されたので、配分情報５５の配分基準にしたがい、撮影部５０１ａからの撮影情報の取得に関係する処理に１６．５％、その他の撮影情報の取得に関係する処理にそれぞれ４．５％ずつ配分する。
【０１３５】
つぎに、取得された撮影情報それぞれから検出された被写体が２人の場合について説明する。図６（ｃ）において、被写体２００（優先度１番）に引き続き、被写体２０１（優先度２番）が検出された場合、配分情報５５の配分基準にしたがって撮影部５０１ａからの撮影情報の取得に関係する処理に１０．５％、撮影部５０１ｂからの撮影情報の取得に関係する処理に１０．５％、その他の撮影情報の取得に関係する処理にそれぞれ４．５％ずつ配分する。
【０１３６】
このように、資源配分制御部５６は、配分情報５５の配分基準にもとづいて、情報取得処理資源を優先度の高い被写体の撮影情報の取得に集中させることができる。
【０１３７】
以上のように、本発明の実施の形態１によれば、認証システムでは、認証装置に接続された複数の撮影部から撮影情報をそれぞれ取得し、取得された撮影情報のそれぞれから被写体画像情報を検出することで、新たな被写体画像情報の有無を検出することができる。これにより、被写体画像情報が検出されれば、認証作業を即座に開始することができる。
【０１３８】
また、検出された被写体の人数、優先度など利用状況に応じて情報処理資源の配分を動的に制御することで、資源を有効に活用し、複数の被写体を並行して効率よく認証することが可能となる。
【０１３９】
また、認証装置１は、取得した撮影情報のそれぞれから被写体画像情報の有無を検出し、検出された被写体画像情報の数、検出した順番に応じて情報処理資源の配分を指示するので、接続される撮影部は１台でも、複数台でもよい。さらに、認証装置１は、適用されるシステムの規模に応じてあらかじめ配分情報を設定しておけばよく、設定された範囲内で、接続される撮影部の台数を増減可能としている。よって、小規模から大規模なシステムまで拡張性の高いシステムを提供することができる。
【０１４０】
さらに、認証装置１に接続される撮影部は、撮影機能と送信元アドレス情報を特定できる機能だけ備えてあればよく、安価なものを使用できる。これにより、安価な認証システムを提供できる。
【０１４１】
また、認証可能な顔画像を含む撮影情報の取得に関係する処理時間の配分を高め、その他の顔画像を含まない撮影情報の取得に関係する処理時間の配分を下げることで、取得する撮影情報を選択して完全に切り替える方式に比べ、撮影情報の漏れを防止できる。さらに、不要な処理に情報処理資源が消費されるのを抑えることができる。
【０１４２】
なお、撮影部は認証装置と分割した構成とし、認証装置と有線または無線により接続してもよい。これにより、撮影部の取り付け位置の自由度を高めることができる。たとえば、１つの部屋の四隅に装備することも、複数の部屋に別々に設置することもできる。
【０１４３】
また、情報取得処理資源の配分に応じて、撮影部が出力する情報量を変えるように指示してもよい。たとえば、撮影情報を取得する配分が大きい撮影部に対しては顔画像の解像度を高くし、撮影情報を取得する配分が小さい撮影部に対しては顔画像の解像度を低くする。これにより、認証に利用する顔画像の精細度を確保しつつ、取得する撮影情報の情報量を抑えることができる。
【０１４４】
また、あらかじめ被写体に関する情報、たとえば身長情報などをＩＣカードに記憶し、端末部８０に備えたカード挿入口（図示せず）に挿入するなどの操作によりカードに記憶されている、身長、眼間距離、肌色、髪色などの被写体の特徴情報を入手し、入手した情報にもとづいて認証作業を開始してもよい。この被写体に関する情報を使って使用する撮影部を決定し、決定された撮影部からの撮影情報の取得に関係する処理に情報取得処理資源を集中させてもよい。
【０１４５】
また、報知部２０は、ＬＥＤを点滅に変えて、点灯させて知らせてもよい。また、認証装置１は、端末部８０から音声によって被写体に使用する撮影部の位置を知らせてもよい。
【０１４６】
さらに、認証装置１を管理サーバ９０などに接続し、認証結果を送信するようにしてもよい。これにより、管理サーバ９０で認証結果を監視することが可能となる。
【０１４７】
また、管理サーバ９０は、受信した認証結果を監視し、状況に応じてあらかじめ登録されている通報先、たとえば管理部署、警察、警備会社などに不審者の侵入があったことを通報してもよい。また、管理サーバ９０と端末部８０と接続し、外部からの不審者に対して端末部８０から音声で警告を行い、侵入を防ぐようにしてもよい。
【０１４８】
また、管理サーバ９０は、新規に登録された被写体の認証情報があれば、認証装置１にその認証情報を送信し、認証装置１に記憶してある登録認証情報を更新するようにしてもよい。
【０１４９】
なお、情報処理資源を情報取得処理資源と認証処理資源に配分したが、それぞれに専用の処理資源を確保して情報取得処理資源を１００％と認証処理資源を１００％としてもよい。たとえば、２つの専用ハードウェア、または、２つのＣＰＵ（中央演算器）などを処理資源として確保することが考えられる。これにより、情報取得処理資源、認証処理資源に対して独立に配分を指示することができる。
【０１５０】
（実施の形態２）
つぎに、本発明の実施の形態２では、認証システムの応用として、入場ゲート入り口から建物のなかに入場可能とする入場管理システムを一例として説明する。以下、実施の形態１と同様の部分については、同一符号を付し、その詳細な説明は省略する。
【０１５１】
本発明の実施の形態２における認証システムでは、認証装置に接続される撮影部が互いに異なる場所に配置され、撮影部が捉えた異なる被写体、被写体の人数、被写体の受け付け順位、認証作業の進捗状況に応じて動的に情報処理資源を再配分することを特徴としている。
【０１５２】
入場管理システムについて図７を用いて説明する。図７は、本発明の実施の形態２における入場管理システムを説明する説明図である。
【０１５３】
この入場管理システムでは、建物のなかに入るための複数の入場ゲートを設け、本人確認ができた人から扉を開け、建物のなかに入ることができるものである。図７に示すように、入場管理システムでは、イベント会場の入り口に、被写体が通れる程度の幅を有する入場ゲートを設け、それぞれのゲートには撮影部７０１〜撮影部７０４と扉７０５〜扉７０８とを設けている。被写体２０２〜被写体２０５は、この入場ゲートを通過することで、建物のなかにあるイベント会場に入場することができる。なお、入場ゲートの数、被写体を撮影する撮影方向の数に応じて、撮影部を増減してもよい。実施例では、入場ゲートの数を４つとし、４台の撮影部を使用する実施例について説明する。
【０１５４】
入場管理システムは、撮影部７０１〜撮影部７０４を使って被写体２０２〜被写体２０５を撮影して得た撮影情報をそれぞれ取得し、取得された撮影情報を用いて、被写体が入場切符の購入時に顔情報を登録した本人と一致するか否かを照合し、本人認証を行う。また、入場管理システムは、認証結果に応じて４つの扉７０５〜扉７０８の開閉を制御する。さらに、入場管理システムは、撮影部７０１〜撮影部７０４の近傍にスピーカ７０９〜スピーカ７１２を備え、認証結果を被写体に報知するものである。
【０１５５】
つぎに、図８を用いて、入場管理システムに適用される認証システムの構成について説明する。図８は、本発明の実施の形態２における認証システム３の構成を示すブロック図である。
【０１５６】
図８に示すように、認証システム３は、被写体を撮影する複数の撮影部７０１〜撮影部７０４と、撮影して得た撮影情報それぞれにもとづいて被写体を認証する認証装置１とを備えている。撮影部７０１〜撮影部７０４は、本発明の実施の形態１の撮影部１０と同様のものである。
【０１５７】
また、認証システム３は、さらに、認証装置１を補助する機能を備える端末部８０と、扉に対して開閉指示の制御を行う動作部７０とを備えている。
【０１５８】
認証装置１は、撮影部７０１〜撮影部７０４から取得した撮影情報にもとづいて被写体の認証作業を行う。認証装置１は、認証結果が登録者と「不一致」の被写体に対しては、端末部８０に接続されたスピーカ７０９〜スピーカ７１２を用いて音声により「入場できません。」などのメッセージを被写体に伝える。さらに、認証システム３は、動作部７０に扉を「閉」に維持するよう指示する。各扉７０５〜扉７０８は動作部７０からの制御信号により装備しているモータなどの駆動部を動作させ、扉の開閉を行う。なお、認証結果を表示部（図示せず）で表示して報知してもよい。
【０１５９】
また、認証結果で登録者と「一致」した場合、認証装置１は、「一致」した被写体ごとに、端末部８０に接続されたスピーカ７０９〜スピーカ７１２を用いて音声により「入場を許可します。」などのメッセージを伝える。さらに、認証システム３は、動作部７０に許可した扉を「開」に制御するよう指示する。これにより、認証結果が「一致」したものが建物のなかにあるイベント会場に入ることができる。
【０１６０】
なお、被写体の認証結果を管理サーバ９０に送ってもよい。これにより、管理サーバ９０で入場者数の管理を行うことができ、イベント会場内への入場者数が多くなった場合に、認証装置に指示して認証作業を一時停止するなど、入場者数を制限することも可能となる。
【０１６１】
つぎに、図９を用いて、４人の被写体２０２〜被写体２０５が４台の撮影部７０１〜撮影部７０４を使って順に認証作業を開始する場合の認証処理資源の配分の指示について説明する。図９は、認証装置１における認証処理資源の時系列的な配分指示の経過を示すフローチャートである。
【０１６２】
ここで、認証装置１での認証作業は、被写体２０２、被写体２０５、被写体２０３、被写体２０４の順に開始されたものとする。また、認証装置１は、配分情報５５（図５）の配分の基準にもとづいて認証処理資源を配分するものとする。
【０１６３】
図９において、撮影部７０１からの撮影情報から被写体２０２の顔情報を検出し、撮影部７０４からの撮影情報から被写体２０５の顔情報を検出すると（Ｓ２０１）、認証装置１は、撮影部７０１と撮影部７０４から認証するための撮影情報をそれぞれ取得する。また、認証装置１は、撮影部７０１と撮影部７０４のそれぞれの送信元アドレスを取得し、検出された被写体の順番にもとづいて受付情報５３を作成し受付情報記憶部５２に記憶する。また、認証装置１は、この受付情報５３から被写体の人数と被写体ごとの撮影情報の処理の優先度を検出し、配分情報５５にもとづいて認証処理資源を配分する。ここでは、優先度は、顔検出された順番が早い被写体２０２の撮影情報の処理が１番、被写体２０５の撮影情報の処理が２番である。
【０１６４】
認証装置１は、配分情報５５の配分基準にしたがって、被写体２０２の処理に４０％、被写体２０５の処理に３０％の資源を配分する（Ｓ２０２）。
【０１６５】
このように、認証処理資源の配分を優先度の高い被写体の処理に集中させることで、多くの被写体の認証情報を効率よく処理することができる。
【０１６６】
つぎに、認証装置１は被写体２０２の認証処理を完了すると、受付情報５３にある被写体２０２に関係する情報に完了情報を追加する。さらに、認証装置１は被写体２０２の認証結果に応じて動作部７０と端末部８０に指示を伝える。認証結果が「一致」したとき、扉７０５が開くことで被写体２０２はイベント会場に入場可能となる。一方、認証結果が「不一致」のとき、扉７０５が閉じたままであり被写体２０２はイベント会場に入場不可能となる。また、撮影部７０２の撮影情報から被写体２０３の顔情報を検出すると、認証装置１は、撮影部７０２の送信元アドレスを取得し、受付情報５３を更新する（Ｓ２０３）。
【０１６７】
このように、認証装置１は、受付情報５３を常に最新の状態に更新することで、受付情報５３から認証処理資源をどのような優先度で配分すればよいかを判断可能にしている。
【０１６８】
つぎに、認証装置１は、この受付情報５３から被写体の人数と被写体ごとの優先度を検出し、配分情報５５の配分の基準にもとづいて認証処理資源を再配分する。ここでは、受け付け順位１番の被写体２０２の認証が完了、受け付け順位３番の被写体２０３、受け付け順位２番の被写体２０５の記録により、優先度は被写体２０３が優先度２番、被写体２０５が優先度１番となる。Ｓ２０１と同様のプロセスで、認証装置１は、被写体２０５の処理に４０％、被写体２０３の処理に３０％の資源を再配分する（Ｓ２０４）。
【０１６９】
このように、認証装置１は、受付情報５３の情報から優先度が高くなった処理に資源を回すことが可能となる。
【０１７０】
つぎに、認証装置１は、撮影部７０３の撮影情報から被写体２０４の顔情報を検出すると、受付情報５３を更新する（Ｓ２０５）。さらに、認証装置１は、受付情報５３から被写体２０２の認証が完了、被写体２０３が優先度２番、被写体２０４が優先度３番、被写体２０５が優先度１番を検出する。これにより、認証装置１は、被写体２０５に３０％、被写体２０３に２０％、被写体２０４に１０％の資源を再配分する（Ｓ２０６）。
【０１７１】
このように、認証装置１は優先度の高い被写体２０５の認証作業を優先し、配分を他の被写体よりも高くしている。
【０１７２】
つぎに、認証装置１は、被写体２０５の認証処理が完了すると、受付情報５３の被写体２０５に関係する記録に完了情報を追加する（Ｓ２０７）。さらに、認証装置１は被写体２０５の認証結果に応じて動作部７０と端末部８０に指示を伝える。認証結果が「一致」したとき、扉７０８が開くことで被写体２０５はイベント会場に入場可能となる。一方、認証結果が「不一致」のとき、扉７０８が閉じたままなので被写体２０５はイベント会場に入場できない。
【０１７３】
つぎに、認証装置１は、受付情報５３を参照し、認証処理資源の再配分を指示する。ここでは、被写体２０３に４０％、被写体２０４に３０％の資源を配分する（Ｓ２０８）。
【０１７４】
このように、認証装置１は、被写体の受け付け順位に対する優先度に応じて、処理の優先度を見直す機能をもつことで、情報処理資源を最大限に有効活用することができる。これにより、認証装置１は、同じ処理能力の認証装置と比較した場合、資源の配分を制御しない認証装置に比べ、撮影情報の認証処理を効率よく実行でき、より多くの被写体に対して認証することが可能となる。
【０１７５】
認証装置１は、被写体２０３の認証処理が完了すると、受付情報５３の被写体２０３の記録に完了情報を追加する（Ｓ２０９）。また、認証装置１は被写体２０３の認証結果に応じて動作部７０、端末部８０に指示する。認証結果が「一致」したとき、扉７０６が開くことで被写体２０３はイベント会場に入場可能となる。一方、認証結果が「不一致」のとき、扉７０６が閉じたままのため被写体２０３はイベント会場に入場不可能となる。
【０１７６】
つぎに、認証装置１は、受付情報５３を参照し、認証処理資源の再配分を行う。ここでは、被写体２０４の認証に７０％の資源を配分する（Ｓ２１０）。また、認証装置１は被写体２０４の認証処理が完了すると、受付情報５３の被写体２０４に関係する記録に完了情報を追加する（Ｓ２１１）。さらに、認証装置１は被写体２０４の認証結果に応じて動作部７０、端末部８０に指示する。認証結果が「一致」したとき、扉７０７が開くことで被写体２０４はイベント会場に入場可能となる。一方、認証結果が「不一致」のとき、扉７０７が閉じたままになり被写体２０４はイベント会場に入場不可能となる。
【０１７７】
認証装置１は、受付情報５３を参照し、すべての被写体に完了情報が追加されたのを検出すると認証処理を終了する。さらに、新たな被写体を検出するため、撮影部７０１〜撮影部７０４から取得した撮影情報のそれぞれに被写体画像が含まれるか否かを検出する。
【０１７８】
このように、認証装置１は、受け付け順位の早いものの優先度を常に高くするように認証処理資源を配分し、すべての認証作業を完了する。
【０１７９】
以上のように、実施の形態２によれば、認証装置１は、受付情報を参照することで被写体の人数と被写体ごとの優先度を検出することが可能となる。認証装置１は、この受付情報から被写体の人数と被写体ごとの優先度を検出し、配分情報５５の配分の基準にもとづいて認証処理資源を動的に再配分することができる。これにより、優先度の高い被写体から認証作業を実施することができる。
【０１８０】
また、緊急度の高い被写体の認証に認証処理資源の配分を高めて集中させることで、迅速に作業を行うことができる。これにより、被写体の待ち時間を抑えるようにしている。
【０１８１】
さらに、撮影情報を取得するための資源の配分を調整しながら、撮影部それぞれから撮影情報をすべて取得するようにしているため、複数の撮影情報から１つを選択する方法に比べて、撮影情報の取り逃がしを防ぐことができる。撮影情報の取り逃がしを防止は、特に、撮影部を使って不審者の侵入を監視する監視システムとして有用であり、わずかな撮影情報でも追跡調査に威力を発揮する。
【０１８２】
また、時系列に刻々と変化する多数の被写体の認証開始、終了の動きに合わせて認証システムの資源の配分を制御することで、認証システムの資源の利用効率を高めることができる。これにより、複数の被写体を並行して認証作業することも可能となる。
【０１８３】
さらに、この受付情報に経過時間を付与した情報を管理サーバ９０に送信し、認証記録として保持するようにしてもよい。これにより、不審者の侵入に対して、追跡調査などを行う場合の歩行ルート情報などの情報として利用できる。
【０１８４】
さらに、端末部８０にカード挿入口を設け、被写体の情報を記録したＩＣカードを挿入させることにより、被写体の情報（たとえば身長、眼鏡有り無し、コンタクト有り無しなど）を認証システムが取得し、この被写体の情報にもとづいて情報処理資源の配分を指示するようにしてもよい。これにより、被写体の撮影情報の取得またはその認証処理に関係する資源を必要な処理に即座に集中させることができる。
【０１８５】
なお、ＩＣカードに代わり、非接触カードにより認証システムに入力するようにしてもよい。
【０１８６】
さらに、顔検出したときの眼間距離から身長情報を算出し、この身長情報にもとづいて特定の撮影部からの撮影情報の取得に資源を集中させてもよい。
【０１８７】
また、認証結果の記録から被写体の歩行ルートを検出することにより、歩行先に配置された撮影部からの撮影情報の取得に資源を集中させてもよい。
【０１８８】
また、被写体が触れた撮影部からの撮影情報の取得に資源を集中させてもよい。
【０１８９】
また、撮影部の前で複数の被写体による順番待ちが発生した場合、情報取得処理資源の配分を増加させ、認証処理資源の配分を減少させてもよい。
【０１９０】
（実施の形態３）
本発明の実施の形態３では、認証システムを入退室管理に応用した場合について説明する。以下、実施の形態１と同様の部分については、同一符号を付し、その詳細な説明は省略する。
【０１９１】
図１０は、本発明の実施の形態３における認証システムの構成を説明するための説明図である。図１０において、Ｃ室からＡ室への入室はＢ室を経由して行う一例を示している。これにより、被写体同士が同伴してＡ室に入室することを防止するものである。そのために、認証システム４は、２台の撮影部８０１と撮影部８０３とを認証装置１に接続し、撮影部８０１と撮影部８０３から取得した撮影情報を照合することにより本人認証を行い、認証結果に応じてＡ室への入退室管理を行うものとする。
【０１９２】
認証システム４は、Ａ室の入り口に扉８０２、Ｂ室の入り口に扉８０４を設け、扉８０２の横に撮影部８０１、扉８０４の横に撮影部８０３を併設し、認証する被写体の顔を撮影する。これにより、認証システム４は、取得した撮影情報を使って認証装置１により被写体の認証作業を行う。認証装置１はＡ室に設置してもよいし、Ａ室を監視するための専用の監視室に設置してもよい。さらに、認証システム４は、Ｂ室の扉８０４の近傍に通過する人数をカウントするためのセンサ８０６とＢ室の室内の全領域を監視可能な監視撮影部８０５と、センサ８０６と監視撮影部８０５から監視情報を取得する監視装置８０７とを備え、Ｂ室に１人ずつの入室のみを許可するように構成している。認証システム４は、監視装置８０７によりＢ室に２人以上入室したと判断すると、警報装置（図示せず）によりＢ室への入室者に警告を行うとともに、Ａ室とＢ室との間にある扉８０２を動作部７０からの制御信号により閉鎖するようにして、複数の人が同時に在室することを禁止する。これにより、Ｂ室入り口に設置した撮影部８０３で認証済みの１人の被写体だけがＢ室に設置した撮影部８０１で認証を受け、Ａ室に入室することができる。
【０１９３】
以上のように、実施の形態３によれば、認証システム４は、連携して動作する２台の撮影部を備え、Ｂ室の互いに異なる位置にある２つの扉に備えた一方の撮影部で認証が完了した被写体の１人にのみ、他方の撮影部で認証を受け付けることができる。これにより、認証を受けてないものが、認証を受けたものと同伴して入室するリスクを確実かつ効果的に予防することができる。
【０１９４】
また、認証システム４は、撮影部８０３と撮影部８０１のいずれか一方から取得した撮影情報の認証に資源を集中させることができる。これにより、迅速に認証作業を行うことができ、効率的に認証することが可能となる。
【０１９５】
（実施の形態４）
本発明の実施の形態４では、認証システムを貸しスペースに応用した場合の一例について説明する。以下、実施の形態１と同様の部分については、同一符号を付し、その詳細な説明は省略する。
【０１９６】
図１１は本発明の実施の形態４における認証システムの構成を説明する説明図である。図１１に示すように、認証システム５は、ロッカーや貸し金庫など、個人管理が必要な貸しスペース９０１の管理を行う。
【０１９７】
認証システム５は、それぞれの貸しスペース９０１ａ〜貸しスペース９０１ｄの扉９０３ａ〜扉９０３ｄの近傍に貸しスペースを利用する被写体の顔を撮影する撮影部９０２ａ〜撮影部９０２ｄと、撮影して得た撮影情報から登録済みのものか否かを認証する認証装置１と、扉９０３の施錠の開閉を制御する動作部７０とを備える。さらに、撮影部９０２と認証装置１とのデータの送受信を無線によって行うため、撮影部９０２と認証装置１は、無線装置９０４、無線装置９０５にそれぞれ接続されている。また、動作部７０は、無線装置９０４に接続され、認証装置１とのデータの送受信を無線により行う。
【０１９８】
これにより、認証システム５は、管理する４箇所のそれぞれの貸しスペース９０１ａ〜貸しスペース９０１ｄに対して、本人認証で許可された登録済みの利用者のみ扉９０３の施錠を解除して利用可能とする。
【０１９９】
また、認証システム５は、利用者の貸しスペース９０１の利用状況に応じて、認証装置１の情報処理資源の配分を行い、緊急度の高い処理に重点的に資源を配分し、効率のよい管理を行うものである。
【０２００】
また、撮影部９０２と認証装置１は、無線装置９０４、無線装置９０５にそれぞれ接続され、無線でデータの送受信ができることから、厳重に管理されている離れた場所、たとえば監視室９０６から貸しスペースを管理することができる。これにより、認証作業を行う場所に認証装置１を分散させて設置する必要がなくなり、１箇所に集中管理することができ、認証情報などの機密を守る必要がある情報の漏洩リスクを抑えることができる。
【０２０１】
なお、撮影して得た撮影情報より利用する被写体（利用者）を検出するとしたが、被写体が触れたことを検出する接触センサ（図示せず）を撮影部に備え、接触された撮影部に優先的に処理資源を配分するように指示してもよい。
【０２０２】
また、撮影部９０２と認証装置１が近接している場合、接続形態が有線でももちろん可能であり、同様にデータの送受信ができる。有線では、ＬＡＮなどのネットワークを利用することが考えられる。
【０２０３】
認証システム５は、貸しスペースに設置した撮影部の台数に応じて、配分情報５５を設定する。なお、管理サーバ９０より配分情報５５を撮影部の設置台数に合わせて更新するようにしてもよい。これにより、自由度の高い認証システム５を実現できる。
【０２０４】
さらに、認証システム５は、認証装置１で認証した認証結果を管理サーバ９０に送信してもよい。これにより、管理サーバ９０は、認証結果により、貸しスペース９０１で不審な侵入者の出入りを検出した場合、貸しスペース９０１に設置した警報器（図示せず）を鳴らすことができる。さらに、管理サーバ９０は、侵入された貸しスペース９０１の扉９０３の施錠をすべてロックし、不審な侵入者が外部に出られないように動作部７０に指示するようにしてもよい。これにより、不正な侵入者を排除でき、セキュリティ性能を強化できる。
【０２０５】
さらに、受付情報５３に受け付け時間、認証完了時間などの時間情報を付与した情報を管理サーバ９０に送信し、認証記録として保持するようにしてもよい。これにより、どのカメラで認証が実施されたかを知るための送信元アドレス情報（撮影部に固有の情報）、被写体の認証記録、認証した時間などの情報を検出することができ、事後、不審な侵入者の歩行ルートなどの追跡調査を認証記録から行うことができる。
【０２０６】
以上のように、本発明の実施の形態４によれば、多くの管理箇所および利用者の様々な利用条件に対して、小規模のシステムにより確実かつ効果的に対応可能な利用者認証システムを実現することができる。
【０２０７】
また、多くの分散した撮影部を１つの認証装置で集中して管理を行うため、分散して認証装置を管理するよりも管理が厳重になり、セキュリティ性能を高くできる。なお、４箇所の貸しスペースを管理する実施例を説明したが、４箇所に限定されるものではない。撮影部の増減と、配分情報５５を設定することで、１０箇所でも、１０００箇所でも適用可能である。
【０２０８】
以上述べたように、本発明の実施の形態における認証システムでは、認証装置に接続される複数の撮影部から取得した撮影情報のそれぞれから被写体画像情報を検出し、新たな被写体の有無を検出することができる。
【０２０９】
また、認証に必要な情報処理資源を効率的に活用することができ、刻々と変化する被写体の利用状況に対応しながら情報処理資源を動的に配分し、複数の撮影部で捉えた複数の被写体を並行して認証することができる。
【０２１０】
さらに、複数の撮影部を増設しても、認証装置の配分情報を更新するだけで大規模なシステムから小規模なシステムまで対応可能な自由度の高い認証システムを実現できる。大規模なシステムを想定する場合は、対象とする被写体人数を、たとえば、１０００人としてもよい。小規模システムなら対象とする被写体人数を５人としてもよい。認証システムが利用される規模に合わせて設定すればよい。
【０２１１】
なお、認証装置は、集積回路などを用いたハードウェアで実施してもよいし、認証方法のプログラムをコンピュータなどで実施するようにしてもよい。ハードウェアで実施する場合は、上記実施の形態の各機能部を個別に１チップ化されたＬＳＩとしてもよいし、一部またはすべてを含むように１チップ化されたＬＳＩとしてもよい。また、ＬＳＩとしたが、集積度の違いにより、ＩＣ、システムＬＳＩ、スーパーＬＳＩ、ウルトラＬＳＩと呼称されることもある。
【０２１２】
また、集積回路化の手法はＬＳＩに限るものではなく、専用回路または汎用プロセッサーで実現してもよい。ＬＳＩ製造後に、プログラムすることが可能なＦＰＧＡ（ＦＩＥＬＤ  ＰＲＯＧＲＡＭＭＡＢＬＥ  ＧＡＴＥ  ＡＲＲＡＹ）や、ＬＳＩ内部の回路セルの接続や設定を再構成可能なリコンフィギュラブル・プロセッサーを利用してもよい。
【０２１３】
さらには、半導体技術の進歩または派生する別技術によりＬＳＩに置き換わる集積回路化の技術が登場すれば、当然、その技術を用いて機能ブロックの集積化を行ってもよい。バイオ技術の適用によるバイオコンピュータなどが可能性としてありえる。
【産業上の利用可能性】
【０２１４】
本発明によれば、複数の撮影部で捉えた複数の被写体を並行して認証可能とするので、生体認証装置および生体認証方法などに有用である。
【図面の簡単な説明】
【０２１５】
【図１】本発明の実施の形態１における認証システムの概要を示す構成図
【図２】同実施の形態における認証パネルの構成を示す構成図
【図３】同実施の形態における認証装置の構成を示すブロック図
【図４】同実施の形態における認証処理の流れを示すフローチャート
【図５】同実施の形態における配分情報を説明する説明図
【図６】（ａ）は同実施の形態における被写体が０人のときの配分の指示を説明する説明図（ｂ）は同実施の形態における被写体が１人のときの配分の指示を説明する説明図（ｃ）は同実施の形態における被写体が２人のときの配分の指示を説明する説明図
【図７】本発明の実施の形態２における入場管理システムを説明する説明図
【図８】同実施の形態における認証システムの構成を示すブロック図
【図９】同実施の形態における時系列的な認証処理資源の配分の指示の経過を示すフローチャート
【図１０】本発明の実施の形態３における認証システムの構成を説明する説明図
【図１１】本発明の実施の形態４における認証システムの構成を説明する説明図
【符号の説明】
【０２１６】
１    認証装置
２，３，４，５    認証システム
１０，５０１，７０１，７０２，７０３，７０４，８０１，８０３，９０２    撮影部
２０    報知部
２０ａ，２０ｂ    ＬＥＤ
３０    撮影情報取得部
３１    前処理部
３２    被写体画像検出部
３３    画質判断部
３４    画像情報取得部
４０    認証部
４１    撮影画像処理部
４２    照合部
４３    認証情報記憶部
４４    登録認証情報
４５    認証情報更新部
５０    情報処理制御部
５１    受付情報作成部
５２    受付情報記憶部
５３    受付情報
５４    配分情報記憶部
５５    配分情報
５６    資源配分制御部
５７    配分情報更新部
６０    送受信部
７０    動作部
８０    端末部
９０    管理サーバ
１００    認証用パネル
２００，２０１，２０２，２０３，２０４，２０５    被写体
７０５，７０６，７０７，７０８，８０２，８０４，９０３    扉
７０９，７１０，７１１，７１２    スピーカ
８０５    監視撮影部
８０６    センサ
８０７    監視装置
９０１    貸しスペース
９０４，９０５    無線装置
９０６    監視室
【図１】
2007213369.tif 000003
【図２】
2007213369.tif 000004
【図３】
2007213369.tif 000005
【図４】
2007213369.tif 000006
【図５】
2007213369.tif 000007
【図６】
2007213369.tif 000008
【図７】
2007213369.tif 000009
【図８】
2007213369.tif 000010
【図９】
2007213369.tif 000011
【図１０】
2007213369.tif 000012
【図１１】
2007213369.tif 000013